(57)【特許請求の範囲】
【請求項１】
上下に所定間隔を有して複数の芯材(23)が幅方向に設けられたシート体(22)を折畳むための折畳み機具であって、降下する芯材(23)を受領可能な受領用通路(6) と、該受領用通路(6)に連通する一対の通路(2a),(2b) と、受領用通路(6)内に配される弁(8) とからなり、前記弁(8) は、弁体(16a) を備えて芯材(23)を一方の通路(2a)側に誘導する第一の姿勢と他方の通路(2b)側に誘導する第二の姿勢とに切替可能で、且つ通路(2a),(2b) に芯材(23)を交互に振分けてシート体(22)を折畳むべく、芯材(23)の通過に伴って姿勢が交互に切り替えられるよう構成されてなることを特徴とするシート体の折畳み機具。
【請求項２】
前記弁(8) が、芯材(23)の軸方向に回動自在に配された弁軸(15)と、該弁軸(15)の周面に所定間隔を有して径方向に突設された複数の弁体(16)とからなり、且つ該弁体(16)は、芯材(23)を誘導するための前記弁体(16a) と、前記第一の姿勢において一方の通路(2a)に臨出する弁体(16b) と、前記第二の姿勢において他方の通路(2b)に臨出する弁体(16b) とからなる請求項１記載のシート体の折畳み機具。
【請求項３】
前記弁体(16b),(16b) 間に該弁体(16b),(16b) の回動角度を規制するためのストッパー(19)が設けられてなる請求項２記載のシート体の折畳み機具。
【請求項４】
前記通路(2a),(2b) が、下方側程外向きに傾斜する傾斜部(4)と、該傾斜部(4) の下端に連設された垂下部(5) とからなる請求項１乃至３の何れかに記載のシート体の折畳み機具。
【請求項５】
前記通路(2a),(2b) の上端部に弁(8) が収容される受領用通路(6) が連通して設けられてなる請求項１乃至４の何れかに記載のシート体の折畳み機具。
【請求項６】
シート体(22)を折畳み収納可能な上面開口状の収納箱(1) 内に、請求項１乃至５の何れかに記載の一対のシート体の折畳み機具が、所定間隔を有して対向配置されてなることを特徴とするシート体の折畳み装置。
【請求項７】
シート体(22)を折畳み収納可能な上面開口状の収納箱(1) の対面する内壁(1a)に、請求項１乃至５の何れかに記載の一対のシート体の折畳み機具が対向して設けられてなることを特徴とするシート体の折畳み装置。
【発明の詳細な説明】
【０００１】
【産業上の利用分野】
本発明はシート体の折畳み機具とこれを使用した折畳み装置、さらに詳しくは例えば建造物の内部空間を仕切るための間仕切膜等のシート体を良好に折畳むことのできる折畳み機具とこれを使用した折畳み装置に関する。
【０００２】
【従来の技術】
例えば体育館等の如き比較的大きな内部空間を有する建造物に於いて、その内部空間が使用目的や使用態様等に応じて仕切られる場合があるが、その手段としては従来垂れ膜等が使用されている。
【０００３】
即ち、内部空間の上部に表出する建造物の梁等を利用して、これに巻取り可能な垂れ幕を設け、必要に応じて垂れ幕を垂らし、不要時には巻取って前記梁等に沿わせて収納される。
【０００４】
【発明が解決しようとする課題】
しかしながら、上記従来の手段に於いては、巻取り収納された垂れ幕が内部空間に表出するため、室内の美観が損なわれるという難点を有し、これに対して垂れ幕の収納形態を工夫することも容易ではない。
【０００５】
また、かかる収納状態で長期間放置されると垂れ幕に皺や汚れが生じ易くなるという問題点もあり、何れにしても従来のものはこの種シート体の収納手段としては必ずしも最適なものではなかったのである。
【０００６】
それ故に、本発明は上記従来の問題点を解決するためになされたものであり、膜体等のシート体を簡易且つ体裁良く折畳み収納することができる折畳み機具及び折畳み装置の提供を課題とする。
【０００７】
【課題を解決するための手段】
即ち、上記課題を解決するために本発明が採った手段は、上下に所定間隔を有して複数の芯材(23)が幅方向に設けられたシート体(22)を折畳むための折畳み機具であって、降下する芯材(23)を受領可能な受領用通路(6) と、該受領用通路(6)に連通する一対の通路(2a),(2b) と、受領用通路(6)内に配される弁(8) とからなり、前記弁(8) は、弁体(16a) を備えて芯材(23)を一方の通路(2a)側に誘導する第一の姿勢と他方の通路(2b)側に誘導する第二の姿勢とに切替可能で、且つ通路(2a),(2b) に芯材(23)を交互に振分けてシート体(22)を折畳むべく、芯材(23)の通過に伴って姿勢が交互に切り替えられるよう構成されてなる点にある。
【０００８】
【作用】
而して、上記構成を特徴とするシート体の折畳み機具を使用する場合は、先ず折畳むべきシート体22の幅及び芯材23の長さを考慮して、一対の折畳み機具を所定間隔を有して対面配置する。
【０００９】
そして、シート体22を降下させると、その芯材23の両端部が折畳み機具の弁８により夫々受領された後、かかる芯材23は前後何れか一方の通路に移送される。次に降下してきたシート体22の芯材23は、その自重により弁８が切替えられて他方の通路へと移送される。このような動作が繰返し行われて、次々と降下してくる芯材23が各通路2a,2b へと交互に振分けられ、両折畳み機具間にシート体22が折畳まれることになる。
【００１０】
【実施例】
以下、本発明に係るシート体の折畳み装置の一実施例について図面に従って説明する。
【００１１】
図１及び図２に於いて、１は上面開口状の収納箱を示し、その底部四隅には移動用キャスター（図示せず）が取着されている。
【００１２】
2a,2b は収納箱１の対面する内壁1aに夫々設けられた一対の通路で、側縁間に間隙３を有して立設される一組のＬ字アングルから構成され、且つ下方側程外側に傾斜する傾斜部４とその下端に連設された垂下部５とからなり、該垂下部５は収納箱１の底面にまで延長されると共に、前記傾斜部４の各上片4a,4b には図３のように各通路2a,2b と連通する受領用通路６を形成すべく湾曲した帯板5a,5b が上方に開口部５を有して対称に取着されている。７は下端部側程内側に傾斜させてその下端部が前記帯板5a,5b にまで延長されたＬ字アングルからなる一対のガイドで、収納箱１の内壁1aに一片7aが固着されてなる。
【００１３】
８は前記受領用通路６内に配された弁を示し、図４の如く一対の軸受９間に介装された円筒体10をボルト11に回動自在に挿通し、且つ該ボルト11を収納箱１の内壁1aの貫通孔12に挿入して押え板13を介してナット14が締着された弁軸15と、該弁軸15の円筒体10の周面に等間隔に突設された３個の弁体16a,16b,16b とからなる。尚、弁軸15のボルト11の頭部と一方の軸受９間にも押え板17が介装されている。18は上方に位置する弁体16ａの一側面に突設された突起で、収納箱１の側面1aに穿設した円弧状の長孔1b内に挿入されて弁体16ａの回動角度を規制する。
【００１４】
19は弁軸15の下方位置であって下方の弁体10ｂ間に配されるように収納箱１の内壁1aに取付板20を介して固着したストッパーで、各弁体16ｂを夫々磁着可能なように略ハの字状に配された一対の棒状磁石からなる。
【００１５】
本実施例は以上のような構成からなり、次にこれを用いて上下に所定間隔を有して袋状部21が幅方向に設けられ、建造物の内部空間の間仕切り膜等として使用される長尺状のシート体22を折畳み収納する場合について説明する。
【００１６】
尚、シート体22の袋状部21には芯材23のパイプ24が挿着され、且つその両端部には前記通路2a,2b 及び受領用通路６内を移動可能な車輪25が回転自在に設けられており、またパイプ24は前記通路2a,2b の間隙３に沿って移動し得るように構成されている。
【００１７】
そして、かかるシート体22は例えば建造物等の内部空間の上部に表出する梁等に取着したウインチ26によりワイヤ27を介して吊上げられ、仕切るべき内部空間が大きい場合には複数のシート体22が図５のように並設される。
【００１８】
このように吊下げられたシート体22を収納する場合は、先ずシート体22を前記ウインチ26により若干上昇させてその下方位置に収納箱１を移動する。次に、ウインチ26を逆回転せしめてシート体22を降下させると、該シート体22の最下端に設けた芯材23の車輪25がガイド７に沿って受領用通路６に誘導され、該受領用通路６に進入する。この場合、弁８の弁体16ａを図３の如く後方側に傾倒させておけば、後方の弁体16ｂはストッパー19に吸着され、前方の弁体16ｂは通路2aに臨出することとなる。
【００１９】
そして、車輪25は先ず上方の弁体16ａに接触することになるが、該弁体16ａの後方側への回動は収納箱１の長孔1bに挿入された突起18、及び後方の弁体16ｂとストッパー19との吸着により阻止されるため、前記車輪25は弁体16ａにより受領用通路６内を前方の弁16ｂ側へと誘導される。
【００２０】
その後、芯材23の自重により前方の弁体16ｂが回動してストッパー19に吸着され、車輪25がシート体22を伴って前方の通路2aの傾斜部４から垂下部５へと移送される一方、上方の弁体16ａが前方側へ傾倒して後方の弁体16ｂが通路2bに臨出することになる。
【００２１】
そして、次に降下してくる芯材23の車輪25は弁体16ａにより前方の通路2a側への移送が阻止されるため、後方の弁体16ｂを回動せしめて後方の通路2b側へと振分けられ、その垂下部５に移送されてシート体22は収納箱１の底面上に折畳まれるのである。
【００２２】
このようにして、芯材23が順次前後の通路2a,2b へと交互に振分けられてシート体22は図２の如く綺麗に折畳み収納される。そして、最上部の芯材23が受領用通路６に進入する前に前記ウインチ26を停止してシート体22からワイヤ27を取外せば、最上部の芯材23も傾斜部４を介して垂下部５に移送され、これによりシート体22の収納作業は終了する。その後、収納箱１を適当な場所に移動して保管する。
【００２３】
また、このようにして収納されたシート体22を再度間仕切り等に使用する場合は、所定の位置にまで収納箱１を移動して、最上部の芯材23に前記ワイヤ27を取付けてウインチ26により巻上げていけば、各芯材23の車輪25の通過により弁８が回動して建造物の内部空間にシート体22からなる間仕切りを形成することができる。
【００２４】
而して、シート体22を収納するには、該シート体22を降下させるだけで、その芯材23が自動的に前後の通路2a,2b に交互に振分けられてシート体22を収納箱１内に折畳み収納できるため、一連の収納作業を効率的に行えることとなる。
【００２５】
また、シート体22は通路2a,2b の夫々の垂下部５に移送され、且つ芯材23を介して折畳まれるために、皺を発生させることなく収納することが可能となり、しかも収納箱１内に収納保管されるために、汚れの発生も回避することができて、この種シート体22の収納形態としては最適のものである。
【００２６】
従って、シート体22の使用時及び収納時に於いて、建造物の内部空間の美観を損なうこともなくなる。
【００２７】
さらに、本実施例に係るシート体の折畳み装置は全体の構成が非常に簡易であるため、容易且つ安価に製作できると共に、保守点検等のメインテナンスも簡単に行えるという利点がある。
【００２８】
尚、上記実施例に於いては、収納箱１の内壁1aに弁８及び通路2a,2b 等を設けたが、これらの各部材は必ずしも内壁1aに設ける必要はなく、該内壁1aとは独立してその内方位置に配設しても構わない。
【００２９】
また、上記実施例では収納箱１に折畳み機具を具備させたシート体の折畳み装置について説明したが、特に収納箱１が必要のない場合にはこれを省略して折畳み機具のみで構成することも可能である。この場合は、一対の折畳み機具を対向させて床面等に設置したり、予め一対の折畳み機具を所定間隔を有して一体的に連結しておけばよい。
【００３０】
さらに、本発明に係るシート体の折畳み機具及び折畳み装置は主として屋内で使用されるが、屋外での使用にも適用可能であり、その具体的な使用態様や使用用途は問うものではない。
【００３１】
その他、弁体８や通路2a,2b 等の具体的な構成も本発明の意図する範囲内に於いて任意に設計変更自在である。
【００３２】
【発明の効果】
叙上の様に、本発明はシート体に設けた芯材の自重により弁が切替可能であるために、該芯材は自動的に前後の通路に交互に振分けられてシート体が折畳まれることとなり、よってシート体の折畳み作業を簡単に効率良く行えるという格別の効果を得るに至った。
【００３３】
また、シート体は建造物から取外されて収納されるため、その内部空間に表出する状態で収納される従来のものとは異なり、室内の美観を損なうようなことはない。
【００３４】
さらに、シート体は芯材を介して綺麗に折畳まれるため、シート体に従来の如く皺が発生することもなくなり、この状態で適切に保管すれば汚れの発生も防止でき、また保管も簡易に行えるという特有の効果を奏する。
【００３５】
また、本発明に係るシート体の折畳み機具及び折畳み装置は非常に簡易な構成からなるため、安価で且つ容易に製作することができると共に、保守点検等のメインテナンスも簡単に行えるという実用的な効果もある。
【図面の簡単な説明】
【図１】本発明に係る一実施例を示す斜視図。
【図２】同一部断面側面図。
【図３】同要部拡大側面図。
【図４】同要部拡大断面図。
【図５】使用状態を示す概略正面図。
【符号の説明】
１…収納箱
2a,2b …通路
４…傾斜部
５…垂下部
６…受領用通路
８…弁
15…弁軸
16…弁体
16a,16b …弁体
19…ストッパー
22…シート体
23…芯材
【図１】
0003689446.tif 000002
【図２】
0003689446.tif 000003
【図３】
0003689446.tif 000004
【図４】
0003689446.tif 000005
【図５】
0003689446.tif 000006